(57)【要約】【課題】灯油の表面張力の影響により給油タンクから固定タンクへの灯油の供給が不安定になって発生する不具合を解消する。【解決手段】本体１に着脱自在に装着される給油タンク２と、給油タンク２の給油口フタ５に設けられた弁９と、給油タンク２から置換作用で供給される灯油を一定量受け入れる固定タンク３とを備え、該固定タンク３の内部に設置されたオイルフィルタ６中央のピン７の周囲に複数の略三角形状で長さが異なるリブ８ａ、８ｂを備えた。【選択図】　図２
2004144408.tif 000002
【特許請求の範囲】
【請求項１】
本体（１）に着脱自在に装着される給油タンク（２）と、この給油タンク（２）から置換作用で供給される灯油を一定量受け入れる固定タンク（３）とを備えた石油燃焼器具に於いて、前記給油タンク（２）には給油口フタ（５）と、この給油口フタ（５）内に弁（９）を備えるとともに、前記固定タンク（３）の内部にはオイルフィルタ（６）と、このオイルフィルタ（６）に前記弁（９）を押し上げるピン（７）を備え、このピン（７）の周囲に本体（１）に給油タンク（２）を装着したときの固定タンク（３）内の灯油位（１２）を規定する給油口フタ部先端（５ａ）に先端部が届く高さのリブ（８ａ）と、このリブ（８ａ）より高さの低いリブ（８ｂ）を複数設けたことを特徴とする石油燃焼器具。
【発明の詳細な説明】
【０００１】
【発明の属する技術分野】
本発明は着脱式の給油タンクを備えた石油ファンヒータ等の石油燃焼器具に関するものである。
【０００２】
【従来の技術】
【特許文献１】特開平１１−２２３３３２号公報
従来の着脱式の給油タンクを石油ファンヒータ本体の固定タンク部に装着した状態は図３に示すようなものであった。
【０００３】
２は給油タンクでこの給油タンク２には給油口５が備えてあり、また給油口５内部には弁９を備えている。
【０００４】
３は固定タンクで、前記給油口５が挿入される部分の内部にはオイルフィルタ６が備えてあり、その中央部にはピン７が備えてある。また、このピン７の周囲には補強用の同一形状をした複数のリブ８が備えられていたり、またはリブが一個も備えられていないものであった（例えば特許文献１）。
【０００５】
このような構成において給油タンク２を固定タンク３に装着すると、給油タンク２の給油口フタ５内にある弁９が固定タンク３のオイルフィルタ６の中央部に在るピン７に押されて移動し、給油タンク２内の灯油が給油口フタ５から落差で固定タンク３内に供給され、固定タンク３内の灯油位１２の所まで給油される。
【０００６】
そして、この灯油位１２が燃焼部での灯油の消費で下がり、給油口フタ部先端５ａと灯油位１２との間に隙間が生じると、この隙間から固定タンク３内の空気が給油タンク２内に流入し、置換作用により給油タンク２から固定タンク３内に灯油が流入し、固定タンク３内の灯油位１２が給油口フタ５の先端５ａと接触して隙間がなくなると灯油の補給が終了する。そして、順次これを繰り返すことで灯油の補給が行われる。
【０００７】
【発明が解決しようとする課題】
ところでこの従来のものでは、図４に示すように灯油位１２が燃焼部での灯油の消費により低下した時、給油口フタ部先端５ａと灯油位１２との間に灯油の表面張力により灯油位１２が延びる現象が発生する。したがってこの表面張力が壊れる所まで灯油位１２が下がらないと固定タンク３内の空気が給油タンク２内に流入しないため、置換作用が起きず給油タンク２から灯油の補給が行われないものである。
【０００８】
ところが、この表面張力は灯油の質や周囲温度等の何らかの条件により壊れにくい状態になることがあり、このような表面張力が壊れにくい状態で燃焼を続けると固定タンク３に灯油の補給が行われなくなり、その結果固定タンク３内の灯油が無くなり燃焼が停止したり、固定タンク３内の灯油の有無を検知する灯油センサーが誤作動する等の問題が発生した。
【０００９】
【課題を解決するための手段】
上記の問題点を解決するために、本体に着脱自在に装着される給油タンクと、この給油タンクから置換作用で供給される灯油を一定量受け入れる固定タンクとを備えた石油燃焼器具に於いて、前記給油タンクには給油口フタとこの給油口フタ内に弁を備えるとともに、前記固定タンクの内部にはオイルフィルタとこのオイルフィルタに前記弁を押し上げるピンを備え、このピンの周囲に本体に給油タンクを装着したときの固定タンク内の灯油位を規定する給油口フタ部先端に先端部が届く高さのリブと、このリブより高さの低いリブを複数設けるようにした。
【００１０】
これによって、給油タンクから固定タンクへの灯油の給油を安定させることができる。
【００１１】
【発明の実施の形態】
以下、本発明に係る石油燃焼器具を図面に示された石油ファンヒータを一実施例として説明する。
【００１２】
図１は本発明の一実施例における石油ファンヒータの概略構造図である。図２は同固定タンクに備えられたオイルフィルタに給油タンクをセットした状態の要部断面図である。なお、従来例において説明した符号と重複するものに関しては従来例と同一の構成であり、その説明を省略する。
【００１３】
図１において、１は石油ファンヒータの本体で、本体１内には、給油タンク２と、固定タンク３と、固定タンク３の灯油を気化器１１に送り出す電磁ポンプ１０と、気化器１１で気化されたガスを燃焼させる燃焼部４とを備えている。
【００１４】
図２において、５は給油タンク２の給油口フタで、弁９を内部に具備している。６はオイルフィルタで固定タンク３の内部に備えられていて、灯油に混入した異物を取り除くものである。
【００１５】
７はオイルフィルタ６の中央部に設けられたピンで、給油タンク２を本体１の固定タンク３に装着すると、ピン７が弁９を押し上げ給油タンク２の給油口フタ５から固定タンク３内に落差により灯油が流れ出ることにより、給油タンク２内の灯油を固定タンク３に補給することができる。
【００１６】
１２は灯油位で、固定タンク３に給油タンク２を装着した状態での固定タンク３内部の灯油の油位を表している。
【００１７】
８ａ、８ｂはピン７の周囲に設けられたリブで、１８０°で対向した２個のリブ８ａは略直角三角形状またはそれに近い形状で、高さがピン７の根本から灯油位１２にほぼ届く高さで給油口フタ５に当たらない程度の形状と高さにしている。また、１８０°で対向した２個のリブ８ｂは同じく略直角三角形状またはそれに近い形状でリブ８ａの略１／２程度の高さとなっている。
【００１８】
本実施例は以上の構成よりなり、次にその作用を説明する。
【００１９】
石油ファンヒータを運転すると、気化器１１内の加熱ヒータ（図示せず）が通電され所定温度まで加熱され、ここに固定タンク３内の灯油が電磁ポンプ１０により気化器１１内送られ、気化ガスとなってノズル部（図示せず）から噴出し、燃焼空気と共に上部の燃焼部４に送り込まれ、燃焼部４で点火されて燃焼し、発生した熱をファン（図示せず）により温風として暖房室内に放散される。
【００２０】
固定タンク３への灯油の供給は本体１に給油タンク２をセットすると、給油口フタ５の内部にある弁９がピン７に押されて移動し、給油口フタ５から灯油の供給が開始されるが、給油口フタ５の先端を流れ出る灯油は、給油口フタ５の略中心に挿入されたピン７と給油口フタ５で構成するドーナツ状の開口部に発生する灯油の表面張力を破りながら給油タンク２から出る灯油と給油タンク２に入る空気の置換が行われる。
【００２１】
この時給油口フタ５の略中心に挿入されたピン７に設けたリブ８ａ、８ｂと給油口フタ５で構成する開口部の形状に狭い部分と広い部分とが作られるので、開口部に発生する灯油の表面張力が均一でなくなりバランスが崩れるため、少しの灯油位１２の低下で給油口フタ５に発生する灯油の表面張力が簡単に破れ、給油タンク２から出る灯油と給油タンク２に入る空気の置換が行われるようになり、給油タンク２内の灯油が順調に供給され続けることができるようになる。
【００２２】
そして、灯油の表面張力が壊れにくい灯油の質や周囲温度等の条件で実験して確認した結果、固定タンク３内の灯油が無くなって燃焼が停止したり、灯油なしセンサーが誤作動したりすることが無くなった。
【００２３】
本実施例では高さの異なる略直角三角形状のリブ８ａ、８ｂをピン７の周囲に各々２個設けたが、リブ８ａ、８ｂの形状は直角三角形状に限定するものではなく、ピン７の補強を兼ねて、かつ給油口フタ５に当たらないような形状であれば良い。
【００２４】
【発明の効果】
以上説明したように本発明は、固定タンクの内部に在るオイルフィルタの中央部に設けたピンの周囲に複数の高さが異なるリブを設けたことにより、給油口フタ部での灯油の表面張力によって給油タンクから出る灯油と給油タンクに入る空気の置換が止まってしまう現象が起こらなくなり、給油タンクから固定タンクへの灯油の供給を安定させることができるため、給油タンクに灯油が有るにもかかわらず燃焼が停止してしまったり、灯油センサーが誤作動してしまうという問題をなくすことができる石油燃焼器具を提供できる。
【図面の簡単な説明】
【図１】本発明の一実施例における石油ファンヒータの概略構造図である。
【図２】同固定タンクに備えられたオイルフィルタに給油タンクをセットした状態の要部断面図である。
【図３】従来例のオイルフィルタに給油タンクをセットした要部断面図である。
【図４】従来例のオイルフィルタに給油タンクをセットした要部拡大断面図である。
【符号の説明】
１　本体
２　給油タンク
３　固定タンク
５　給油口フタ
５ａ　給油口フタ部先端
６　オイルフィルタ
７　ピン
８ａ、８ｂ　リブ
９　弁
１２　灯油位
【図１】
2004144408.tif 000003
【図２】
2004144408.tif 000004
【図３】
2004144408.tif 000005
【図４】
2004144408.tif 000006